(57)【要約】【課題】テンプレートに合わせた所望の姿勢で自然な姿勢を保ちながら被撮影者を撮影することにより画像を得る。【解決手段】撮影システム１０は筐体２０と、前記筐体２０内に設けられた回転駆動部２５Ａを含む回転台２５と、カメラ１２と、操作パネル１５と、制御部１１とを有する。制御部１１は選択されたテンプレートに対応する撮影ガイダンスを操作パネル１５に表示させ、この撮影ガイダンスに基づいて回転台２５を回転させる。この間、カメラ１２により回転台２５上の被撮影者の画像が得られ、制御部１１はこの画像１とテンプレート３とを合成して合成画像５を得る。【選択図】図１
2019128500.tif 000002
【特許請求の範囲】
【請求項１】
被撮影者を囲む筐体と、
前記筐体内に回転自在に設けられた回転台と、
前記回転台を駆動する回転駆動部と、
前記筐体内に設けられ、被撮影者の画像を得る撮影手段と、
前記筐体内に設けられ、入力部と表示部とを有する操作パネルと、
複数のテンプレートを格納するテンプレート格納部と、
制御部と、を備え、
前記制御部は、前記操作パネルの前記入力部により所望のテンプレートが選択された際、選択されたテンプレートに対応する撮影ガイダンスに基づいて前記操作パネルの表示部に撮影ガイダンスを表示する表示制御部と、前記撮影ガイダンスに基づいて前記回転駆動部を制御する回転駆動制御部と、前記撮影手段からの被撮影者の画像と選択されたテンプレートとを合成して合成画像を生成する画像合成部とを有する、撮影システム。
【請求項２】
前記画像合成部は、前記回転台が所定角度をとる位置で合成画像を生成する、請求項１記載の撮影システム。
【請求項３】
前記画像合成部は、前記回転台が前記所定角度をとる位置の近傍において更に複数の合成画像を生成する、請求項２記載の撮影システム。
【請求項４】
前記画像合成部は、前記回転台が前記所定角度をとる位置に対して１０°以内の近傍において複数の合成画像を生成する、請求項３記載の撮影システム。
【請求項５】
前記画像合成部は、前記回転台を３６０°回転させながら、複数の合成画像を生成する、請求項１記載の撮影システム。
【請求項６】
前記画像合成部は被撮影者の画像をクロマキー処理して選択されたテンプレートと合成する、請求項１乃至５のいずれか記載の撮影システム。
【発明の詳細な説明】
【技術分野】
【０００１】
本発明は、被撮影者を撮影する撮影システムに関する。
【背景技術】
【０００２】
従来、被撮影者を撮影する撮影システムが知られている。このような撮影システムは被撮影者が入る筐体を有し、この筐体内に撮影手段（カメラ）と投光部と操作パネルとが設置されている。
【０００３】
従来の撮影システムでは、被撮影者は操作パネルに映し出される画像を確認して、その画像をみながら好みの姿勢をとって撮影が行なわれている。
【０００４】
しかしながら、被撮影者がとる姿勢によっては、操作パネルを確認することが困難な場合があり、このため被撮影者が色々の姿勢をとっても画像を確認できるよう、複数の操作パネルを設置した撮影システムも開発されているが、操作パネルの数は限られる。
【０００５】
他方、被撮影者が筐体内で回転しながら、予め選択されたテンプレートと合成させて複数の画像ショットを生成することも考えられるが、被撮影者が自ら回転した場合、不自然な画像ショットしか生成されないことが多い。
【先行技術文献】
【特許文献】
【０００６】
【特許文献１】特開２００３−２７０７１４号公報
【特許文献２】特開平１１−１９１８５６号公報
【発明の概要】
【発明が解決しようとする課題】
【０００７】
本発明はこのような点を考慮してなされたものであり、筐体内にいる被撮影者をテンプレートに合わせた所望の姿勢でかつ自然な姿勢を保ちながら撮影した画像を得ることができる撮影システムを提供することを目的とする。
【課題を解決するための手段】
【０００８】
本発明は、被撮影者を囲む筐体と、前記筐体内に回転自在に設けられた回転台と、前記回転台を駆動する回転駆動部と、前記筐体内に設けられ、被撮影者の画像を得る撮影手段と、前記筐体内に設けられ、入力部と表示部とを有する操作パネルと、複数のテンプレートを格納するテンプレート格納部と、制御部と、を備え、前記制御部は、前記操作パネルの前記入力部により所望のテンプレートが選択された際、選択されたテンプレートに対応する撮影ガイダンスに基づいて前記操作パネルの表示部に撮影ガイダンスを表示する表示制御部と、前記撮影ガイダンスに基づいて前記回転駆動部を制御する回転駆動制御部と、前記撮影手段からの被撮影者の画像と選択されたテンプレートとを合成して合成画像を得る画像合成部とを有する、撮影システムである。
【０００９】
本発明は、前記画像合成部は、前記回転台が所定角度をとる位置で合成画像を生成する、撮影システムである。
【００１０】
本発明は、前記画像合成部は、前記回転台が前記所定角度をとる位置の近傍において更に複数の合成画像を生成する、撮影システムである。
【００１１】
本発明は、前記画像合成部は、前記回転台が前記所定角度をとる位置に対して１０°以内の近傍において複数の合成画像を生成する、撮影システムである。
【００１２】
本発明は、前記画像合成部は、前記回転台を３６０°回転させながら、複数の合成画像を生成する、撮影システムである。
【００１３】
本発明は、前記画像合成部は被撮影者の画像をクロマキー処理して選択されたテンプレートと合成する、撮影システムである。
【発明の効果】
【００１４】
本発明によれば、被撮影者をテンプレートに合わせた所望の姿勢で、かつ自然な姿勢を保ちながら撮影した画像を得ることができる。
【図面の簡単な説明】
【００１５】
【図１】図１は本実施の形態による撮影システムの全体を示す図。
【図２】図２は撮影システムの機能的構成を示すブロック図。
【図３】図３は筐体内の構成部材の配置状態を示す図。
【図４】図４は撮影システムの撮影作業を示すフローチャート。
【図５Ａ】図５Ａは操作パネルをみてとるポーズを示す図。
【図５Ｂ】図５Ｂは回転台が回転して撮影する状態を示す図。
【図５Ｃ】図５Ｃはテンプレートと合成して合成画像を生成する状態を示す図。
【発明を実施するための形態】
【００１６】
＜発明の実施の形態＞  
以下、図面を参照して本発明の実施の形態について説明する。  
図１乃至図５Ｃは本発明による撮影システムの一実施の形態を示す図である。
【００１７】
図１乃至図３に示すように、撮影システム１０は、底板２１と、天板２２と、側板２３とを有する筐体２０と、筐体２０内を撮影空間２０Ａと収納空間２０Ｂとに区画する区画壁２０Ｃとを備え、筐体２０の収納空間２０Ｂ内の区画壁２０Ｃ側にはカメラ（撮影手段）および投光部３４と、操作パネル１５と、検知センサ１３と、キャッシャー３３とが設けられている。また底板２１上に回転台２５が回転自在に配置され、この回転板は回転駆動部２５Ａにより回転するようになっている。ここで、筐体２０は後述する被撮影者Ｐを囲うものであり、囲い体として機能する。囲い体としては、被撮影者Ｐを上下方向および側方全域から囲うものに限らず、前面および後面のみから被撮影者Ｐを囲うものであってもよい。さらにまた収納空間２０Ｂ内のうち、区画壁２０Ｃに対向する側板２３側には、下方から上方へ向かって順次プリンタ１７と制御部１１とＷｉＦｉルータ１８とが配置されている。
【００１８】
また底板２１上の回転台２５は、後述する制御部１１内の回転駆動制御部１１ｂにより駆動制御される。
【００１９】
また上記構成部材のうち、操作パネル１５は、後述のように被撮影者Ｐが操作するための入力部１５ａと、撮影ガイダンスおよび画像ショットを表示する表示部１５ｂとを有する。
【００２０】
上述のように筐体２０の収納空間２０Ｂ内の区画壁２０Ｃ側には、カメラ１２、投光部３４、操作パネル１５が設置され、撮影空間２０Ａ内のうち、区画壁２０Ｃに対向する側板２３側には、入手した画像から被撮影者の全身を切り抜くクロマキー処理用の緑色の背景板２６が設けられている。
【００２１】
また筐体２０の収納空間２０Ｂ内の区画壁２０Ｃ側には、上述のように操作パネル１５の下方に、検知センサ１３と、キャッシャー３３とが上方から下方に向かって順次配置されている。
【００２２】
また筐体２０の側板２３の外面には、プリンタ１７の取出口１７ａが設けられている。
【００２３】
さらに筐体２０の収納空間２０Ｂ内には、制御部１１およびプリンタ１７に加えて、記憶部１６、プリンタ１７、Ｉ／Ｏ（Ｉｎｐｕｔ／Ｏｕｔｐｕｔ）ユニット３１、スピーカ３２が内蔵されている。
【００２４】
なお、上述したカメラ１２は被撮影者Ｐを撮影するためのカメラであり、筐体２０内で被撮影者Ｐの静止画像、又は被撮影者Ｐの動画像を得るようになっている。
【００２５】
図２に示すように、制御部１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。そして後述するカメラ１２により撮影された画像により、制御部１１は一ショット毎の静止画像を生成する。
【００２６】
カメラ１２は、光学レンズ、ＣＣＤ（Ｃｈａｒｇｅ  Ｃｏｕｐｌｅｄ  Ｄｅｖｉｃｅ）等の光学センサ、Ａ／Ｄ（Ａｎａｌｏｇ／Ｄｉｇｉｔａｌ）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００２７】
検知センサ１３は、撮影システム１０の撮影空間１０Ａ内に被撮影者Ｐが入室したことを検知する光学センサ等であり、その検知信号を制御部１１に出力する。
【００２８】
操作パネル１５は、タッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを有する入力部１５ａを含み、操作されたキーに対応する操作信号を制御部１１に出力する。
【００２９】
また操作パネル１５は、上述のようにＬＣＤ（Ｌｉｑｕｉｄ  Ｃｒｙｓｔａｌ  Ｄｉｓｐｌａｙ）等を有する表示部１５ｂを含み、制御部１１からの制御信号に従って、撮影手順を説明するガイド画面（撮影ガイダンス）、写真種類を選択するための選択画面等の各種操作画面、後述する画像ショット等を表示する。
【００３０】
記憶部１６は、システムプログラムの他、顔画像撮影処理プログラム、画像処理プログラム等の各種処理プログラム及び各プログラムで処理されたデータ等を記憶する。また記憶部１６は後述する複数のテンプレート（被撮影者の画像回りの背景画像）３（図５Ｃ参照）を格納するテンプレート格納部としても機能する。
【００３１】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３２】
Ｉ／Ｏユニット３１は、制御部１１と、スピーカ３２、キャッシャー３３、投光部３４、回転駆動部２５Ａとの間で情報のやり取りを仲介するインターフェイスであり、制御部１１からの制御信号をスピーカ３２、キャッシャー３３、投光部３４、回転駆動部２５Ａに送信するとともに、スピーカ３２、キャッシャー３３、投光部３４、回転駆動部２５Ａからの信号等を制御部１１に出力する。
【００３３】
スピーカ３２は、Ｉ／Ｏユニット３１を介して制御部１１から入力されるガイド用アナウンスの音声信号を出力する。
【００３４】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００３５】
投光部３４は、制御部１１から指示された発光タイミング、発光量で発光を行う。
【００３６】
また回転駆動部２５Ａは回転台２５を駆動するモータ等の駆動機構からなる。
【００３７】
また制御部１１は、被撮影者Ｐが操作パネル１５の入力部１５ａを操作して、記憶部１６に格納された複数のテンプレート３から所望のテンプレート３を選択した際、選択されたテンプレート３に対応する撮影ガイダンスを表示部１５ｂに表示させる表示制御部１１ａを有する。さらに制御部１１は入力部１５ａにより選択されたテンプレートに対応する撮影ガイダンスに基づいて回転駆動部２５Ａを制御する回転駆動制御部１１ｂを有する。
【００３８】
また制御部１１は、カメラ１２により撮影された被撮影者Ｐの画像１と、入力部１５ａにより選択されたテンプレート３とを合成して合成画像５を得る画像合成部１１ｃを有し（図５Ｃ参照）、この画像合成部１１ｃで得られた合成画像５は操作パネル１５の表示部１５ｂに表示される。
【００３９】
次にこのような構成からなる本実施の形態の作用について図４により説明する。
【００４０】
まず被撮影者Ｐが筐体２０内に入り、筐体２０内の回転台２５上に乗る、このとき検知センサ１３により被撮影者Ｐが検出される。このとき、操作パネル１５上にガイダンスが表示される。同時にスピーカ３２から撮影ガイドに係るアナウンス音声が出力される。
【００４１】
次いで、キャッシャー３３へ、料金が投入され、キャッシャー３３において入金された金額のチェックが行われ、操作パネル１５上に操作画面が表示される。
【００４２】
以下、図４に示すように、操作パネル１５に表示されたガイダンスに沿って撮影作業が行なわれる。
【００４３】
被撮影者Ｐは、操作パネル１５上で所望のテンプレート３を選択する。この場合、記憶部１６内に予め被撮影者Ｐの画像回りの背景画像となる複数のテンプレート３が格納され、複数のテンプレート３は操作パネル１５の表示部１５ｂ上に表示されている。そして被撮影者Ｐは表示部１５ｂ上に表示されたテンプレート３の中から入力部１５ａを操作して所望のテンプレート３を選択する。
【００４４】
次に制御部１１の表示制御部１１ａは選択されたテンプレート３に対応する撮影ガイダンスを表示部１５ｂ上に表示する。被撮影者Ｐは表示された撮影ガイダンスに基づいて所定の姿勢をとる。
【００４５】
このとき、例えば撮影ガイダンス上に「右手を顔に当て考える姿勢をとる」旨の表示があれば、被撮影者は撮影ガイダンスに沿った姿勢（ポーズ）をとる（図５Ａ参照）。
【００４６】
次に制御部１１の回転駆動制御部１１ｂは、選択されたテンプレートに対応する撮影ガイダンスに基づいて回転駆動部２５Ａを制御し、回転台２５を所定角度、例えば９０°だけ回転させる（図５Ｂ参照）。
【００４７】
このように回転台２５が９０°回転した場合、カメラ１２により被撮影者Ｐを側面から撮影して、画像（静止画像）を撮ることができる。この場合、被撮影者Ｐは操作パネル１５をみる必要はなく、被撮影者Ｐを自然な姿勢を保ちながら撮影される。
【００４８】
次にカメラ１２により得られた画像１は制御部１１へ送られ、制御部１１の画像合成部１１ｃにおいて、画像１に対してクロマキー処理が施される。次に画像合成部１１ｃにおいてクロマキー処理が施された画像１と選択されたテンプレート３とが合成されて合成画像５が生成される（図５Ｃ参照）。
【００４９】
同時に生成された合成画像５は操作パネル１５の表示部１５ｂに表示される。
【００５０】
その後、合成画像５に基づいて得られた画像ショットはプリンタ１７により写真印刷物として生成され、写真印刷物はプリンタ１７の取出口１７ａから排出される。あるいは合成画像に基づいて得られた画像ショットをＷｉＦｉルータ１８からネットワークを通して外部のファイルサーバーへ転送してもよい。
【００５１】
以上のように本実施の形態によれば、被撮影者Ｐは撮影中選択されたテンプレートに合わせた所望の姿勢で自然な姿勢を保ちながら撮影されるため、テンプレートに合わせて被撮影者Ｐの合成画像５を確実に得ることができる。
【００５２】
＜本発明の変形例＞
次に本発明の変形例について説明する。上記実施の形態において、所望のテンプレート３に対応する撮影ガイダンスに基づいて、制御部１１の回転駆動制御部１１ｂにより回転台を９０°回転させた後に画像合成部１１ｃにより合成画像を生成した例を示したが、これに限らず、所望のテンプレート３に対応する撮影ガイダンスに基づいて回転台２５を角度９０°の近傍において、回転台２５を角度９０°±１０°の範囲内で回転させながら、複数の合成画像を取得してもよい。
【００５３】
あるいは、所望のテンプレート３に対応する撮影ガイダンスに基づいて回転台２５を３６０°回転させながら、複数の合成画像を取得してもよい。
【００５４】
あるいはまたカメラ１２により静止画像を入手した例を示したが、これに限らずカメラ１２により動画を取得してもよい。
【符号の説明】
【００５５】
１    被撮影者の画像
３    テンプレート
５    合成画像
１０  撮影システム
１１  制御部
１１ａ  表示制御部
１１ｂ  回転駆動制御部
１１ｃ  画像合成部
１２  カメラ
１３  検知センサ
１５  操作パネル
１５ａ  入力部
１５ｂ  表示部
１６  記憶部
１７  プリンタ
１７ａ  取出口
１８  ＷｉＦｉルータ
２０  筐体
２１  底板
２２  天板
２３  側板
２５  回転台
２５Ａ  回転駆動部
３１  Ｉ／Ｏユニット
３２  スピーカ
３３  キャッシャー
３４  投光部
【図１】
2019128500.tif 000003
【図２】
2019128500.tif 000004
【図３】
2019128500.tif 000005
【図４】
2019128500.tif 000006
【図５Ａ】
2019128500.tif 000007
【図５Ｂ】
2019128500.tif 000008
【図５Ｃ】
2019128500.tif 000009